(57)【要約】【課題】本発明は、かごガイドレールと昇降路壁との間の隙間が狭い場合でも、寸法調整を可能にしつつ、かご側ブラケット及びおもり側ブラケットを壁側ブラケットに安定して固定することを目的とするものである。【解決手段】かご側ブラケット１２は、壁側ブラケット１１の上に重ねられており、複数の溶接部１９を介して壁側ブラケット１１に固定されている。おもり側ブラケット１３は、かご側ブラケット１２の上に重ねられており、ブラケット締結具１４を介してかご側ブラケット１２及び壁側ブラケット１１に固定されている。第１及び第２の壁側ブラケット孔１１ｅ，１１ｆの大きさには、昇降路壁１ｂから第２のかごガイドレール４ｂまでの距離変化及び壁側ブラケット１１の固定位置の誤差を吸収するための余裕が設けられている。【選択図】図３
2017206334.tif 000002
【特許請求の範囲】
【請求項１】
かご、
前記かごの幅方向の両側に配置され、前記かごの昇降を案内する第１及び第２のかごガイドレール、
真上から見て、前記かごの幅方向の前記第２のかごガイドレールと同じ側に配置されている釣合おもり、
前記釣合おもりの幅方向の両側に配置され、前記釣合おもりの昇降を案内する第１及び第２の釣合おもりガイドレール、及び
前記第２のかごガイドレール及び前記第１の釣合おもりガイドレールを昇降路壁に対して固定するレールブラケット装置
を備え、
前記レールブラケット装置は、
前記昇降路壁に固定されている壁側ブラケット、
前記壁側ブラケットに溶接部を介して固定されているかご側ブラケット、及び
ブラケット締結具を介して前記かご側ブラケット及び前記壁側ブラケットに固定されているおもり側ブラケット
を有しており、
前記壁側ブラケットには、前記ブラケット締結具を通す壁側ブラケット孔が設けられており、
前記かご側ブラケットには、前記ブラケット締結具を通すかご側ブラケット孔が設けられており、
前記おもり側ブラケットには、前記ブラケット締結具を通すおもり側ブラケット孔が設けられており、
前記壁側ブラケット孔の大きさには、前記昇降路壁から前記第２のかごガイドレールまでの距離変化及び前記壁側ブラケットの固定位置の誤差を吸収するための余裕が設けられており、
前記ブラケット締結具と前記かご側ブラケット孔及び前記おもり側ブラケット孔との間の隙間寸法は、前記ブラケット締結具と前記壁側ブラケット孔との間の隙間寸法よりも小さくなっているエレベータ。
【請求項２】
前記壁側ブラケット孔は長孔であり、
前記長孔の長軸は、前記かごの幅方向に平行である請求項１記載のエレベータ。
【請求項３】
前記かご側ブラケットは、前記壁側ブラケットの上に重ねられており、前記おもり側ブラケットは、前記かご側ブラケットの上に重ねられている請求項１又は請求項２に記載のエレベータ。
【請求項４】
前記ブラケット締結具は、前記壁側ブラケット孔、前記かご側ブラケット孔及び前記おもり側ブラケット孔に通されているボルトと、前記ボルトに締め込まれているナットと、前記壁側ブラケット孔の縁部に当てられている座金とを有している請求項３記載のエレベータ。
【請求項５】
昇降路壁に固定される壁側ブラケット、
前記壁側ブラケットに溶接部を介して固定されるかご側ブラケット、及び
ブラケット締結具を介して前記かご側ブラケット及び前記壁側ブラケットに固定されるおもり側ブラケット
を備え、
前記壁側ブラケットには、前記ブラケット締結具を通す壁側ブラケット孔が設けられており、
前記かご側ブラケットには、前記ブラケット締結具を通すかご側ブラケット孔が設けられており、
前記おもり側ブラケットには、前記ブラケット締結具を通すおもり側ブラケット孔が設けられており、
前記壁側ブラケット孔の大きさには、前記昇降路壁から前記かごガイドレールまでの距離変化及び前記壁側ブラケットの固定位置の誤差を吸収するための余裕が設けられており、
前記ブラケット締結具と前記かご側ブラケット孔及び前記おもり側ブラケット孔との間の隙間寸法は、前記ブラケット締結具と前記壁側ブラケット孔との間の隙間寸法よりも小さくなっているエレベータのレールブラケット装置。
【請求項６】
前記壁側ブラケット孔は長孔である請求項５記載のエレベータのレールブラケット装置。
【発明の詳細な説明】
【技術分野】
【０００１】
この発明は、かごガイドレールと釣合おもりガイドレールとが共通のレールブラケット装置により昇降路壁に固定されているエレベータ、及びそのレールブラケット装置に関するものである。
【背景技術】
【０００２】
従来のエレベータのガイドレール固定装置では、Ｌ字形のベース金具が昇降路壁に固定されている。ベース金具には、かご用ガイドレール固定金具とおもり用ガイドレール固定金具とがそれぞれ複数のボルトにより固定されている。ベース金具、かご用ガイドレール固定金具、及びおもり用ガイドレール固定金具には、ボルトを通す複数の長孔がそれぞれ設けられている（例えば、特許文献１参照）。
【先行技術文献】
【特許文献】
【０００３】
【特許文献１】特公平７−７７９５５号公報
【発明の概要】
【発明が解決しようとする課題】
【０００４】
上記のような従来のガイドレール固定装置では、ボルトを締め付けることにより生じる摩擦力によって、かご用ガイドレール固定金具及びおもり用ガイドレール固定金具がベース金具に接合されているので、ボルトの締め付けトルク又は各金具の表面状態によって接合力にバラツキが発生する。
【０００５】
そして、接合力が不十分な場合、ガイドレールにかご又は釣合おもりからの地震力が作用した際に、かご用ガイドレール固定金具とおもり用ガイドレール固定金具との間に滑りが生じ、ガイドレールの位置関係が変わってしまう。
【０００６】
代替手段としては溶接固定があるが、溶接固定の場合、少なくとも２面を溶接する必要がある。しかし、かごガイドレールと昇降路壁との隙間が狭い場合、かごガイドレールの背面側及び釣合おもりガイドレール側で溶接することができず、かご用ガイドレール固定金具の釣合おもりガイドレールとは反対側の端面でしか溶接することができない。このため、かごガイドレールと昇降路壁との隙間が狭い場合には、溶接固定だけでかご用ガイドレール固定金具をベース金具に十分に固定することができない。
【０００７】
これに対して、各金具に設ける孔を長孔ではなく丸孔にして、接合構造を摩擦接合から支圧接合にする方法もあるが、ベース金具とかご用ガイドレール固定金具及びおもり用ガイドレール固定金具との位置関係、及びかごガイドレール及び釣合おもりガイドレールと昇降路壁との位置関係などの寸法調整をすることができない。
【０００８】
この発明は、上記のような課題を解決するためになされたものであり、かごガイドレールと昇降路壁との間の隙間が狭い場合でも、寸法調整を可能にしつつ、かご側ブラケット及びおもり側ブラケットを壁側ブラケットに安定して固定することができるエレベータ及びそのレールブラケット装置を得ることを目的とする。
【課題を解決するための手段】
【０００９】
この発明に係るエレベータは、かご、かごの幅方向の両側に配置され、かごの昇降を案内する第１及び第２のかごガイドレール、真上から見て、かごの幅方向の第２のかごガイドレールと同じ側に配置されている釣合おもり、釣合おもりの幅方向の両側に配置され、釣合おもりの昇降を案内する第１及び第２の釣合おもりガイドレール、及び第２のかごガイドレール及び前記第１の釣合おもりガイドレールを昇降路壁に対して固定するレールブラケット装置を備え、レールブラケット装置は、昇降路壁に固定されている壁側ブラケット、壁側ブラケットに溶接部を介して固定されているかご側ブラケット、及びブラケット締結具を介してかご側ブラケット及び壁側ブラケットに固定されているおもり側ブラケットを有しており、壁側ブラケットには、ブラケット締結具を通す壁側ブラケット孔が設けられており、かご側ブラケットには、ブラケット締結具を通すかご側ブラケット孔が設けられており、おもり側ブラケットには、ブラケット締結具を通すおもり側ブラケット孔が設けられており、壁側ブラケット孔の大きさには、昇降路壁から第２のかごガイドレールまでの距離変化及び壁側ブラケットの固定位置の誤差を吸収するための余裕が設けられており、ブラケット締結具とかご側ブラケット孔及びおもり側ブラケット孔との間の隙間寸法は、ブラケット締結具と壁側ブラケット孔との間の隙間寸法よりも小さくなっている。
【発明の効果】
【００１０】
この発明のエレベータは、かご側ブラケットが壁側ブラケットに溶接部を介して固定されており、壁側ブラケット孔の大きさに、昇降路壁から第２のかごガイドレールまでの距離変化及び壁側ブラケットの固定位置の誤差を吸収するための余裕が設けられており、ブラケット締結具とかご側ブラケット孔及びおもり側ブラケット孔との間の隙間寸法は、ブラケット締結具と壁側ブラケット孔との間の隙間寸法よりも小さくなっているので、かごガイドレールと昇降路壁との間の隙間が狭い場合でも、寸法調整を可能にしつつ、かご側ブラケット及びおもり側ブラケットを壁側ブラケットに安定して固定することができる。
【図面の簡単な説明】
【００１１】
【図１】この発明の実施の形態１によるエレベータを示す平面図である。
【図２】図１のレールブラケット装置を拡大して示す斜視図である。
【図３】図２のレールブラケット装置を示す平面図である。
【図４】図２のレールブラケット装置を示す正面図である。
【図５】図２の壁側ブラケットを示す斜視図である。
【図６】図２のかご側ブラケットを示す斜視図である。
【図７】図２のおもり側ブラケットを示す斜視図である。
【図８】図３のＶＩＩＩ−ＶＩＩＩ線に沿う断面図である。
【図９】図３のレールブラケット装置の据付途中の状態を示す平面図である。
【図１０】図４のレールブラケット装置の据付途中の状態を示す正面図である。
【発明を実施するための形態】
【００１２】
以下、この発明を実施するための形態について、図面を参照して説明する。
実施の形態１．
図１はこの発明の実施の形態１によるエレベータを示す平面図である。図において、昇降路１内には、かご２及び釣合おもり３が設けられている。かご２及び釣合おもり３は、懸架体（図示せず）により昇降路１内に吊り下げられている。懸架体としては、複数本のロープ又は複数本のベルトが用いられている。
【００１３】
懸架体は、巻上機（図示せず）の駆動シーブに巻き掛けられている。かご２及び釣合おもり３は、駆動シーブを回転させることにより、昇降路１内を昇降する。
【００１４】
かご２は、第１のかご側面２ａと、第１のかご側面２ａに対向する第２のかご側面２ｂと、かご前面２ｃと、かご前面２ｃに対向するかご後面２ｄとを有している。
【００１５】
昇降路１内のかご２の幅方向（図１のＹ軸方向）の両側には、かご２の昇降を案内する第１及び第２のかごガイドレール４ａ，４ｂが設置されている。第１のかごガイドレール４ａは、第１のかご側面２ａに対向している。第２のかごガイドレール４ｂは、第２のかご側面２ｂに対向している。
【００１６】
また、第１及び第２のかごガイドレール４ａ，４ｂは、かご２の奥行き方向（図１のＸ軸方向）の同じ位置で、互いに対向している。
【００１７】
釣合おもり３は、真上から見て、かご２の幅方向の第２のかごガイドレール４ｂと同じ側に配置されている。また、釣合おもり３は、かご２の奥行き方向の第２のかごガイドレール４ｂよりも後ろ側に配置されている。さらに、釣合おもり３は、かご２と同じ高さに位置するときに、第２のかご側面２ｂに対向する。
【００１８】
昇降路１内の釣合おもり３の幅方向（図１のＸ軸方向）の両側には、釣合おもり３の昇降を案内する第１及び第２の釣合おもりガイドレール５ａ，５ｂが設置されている。第１の釣合おもりガイドレール５ａは、釣合おもり３の幅方向の第２のかごガイドレール４ｂ側、即ちかご２の奥行き方向の前側に配置されている。第２の釣合おもりガイドレール５ｂは、釣合おもり３の幅方向の第２のかごガイドレール４ｂとは反対側に配置されている。
【００１９】
第１のかごガイドレール４ａは、複数のかごガイドレール用ブラケット６により、第１のかご側面２ａに対向する昇降路壁１ａに固定されている。かごガイドレール用ブラケット６は、上下方向に互いに間隔をおいて昇降路壁１ａに固定されている。
【００２０】
第２の釣合おもりガイドレール５ｂは、複数の釣合おもりガイドレール用ブラケット７により、かご後面２ｄに対向する昇降路壁１ｃに固定されている。釣合おもりガイドレール用ブラケット７は、上下方向に互いに間隔をおいて昇降路壁１ｃに固定されている。
【００２１】
第２のかごガイドレール４ｂ及び第１の釣合おもりガイドレール５ａは、複数のレールブラケット装置８により、第２のかご側面２ｂに対向する昇降路壁１ｂに固定されている。即ち、第２のかごガイドレール４ｂ及び第１の釣合おもりガイドレール５ａは、共通のレールブラケット装置８により昇降路１内に固定されている。また、レールブラケット装置８は、上下方向に互いに間隔をおいて昇降路壁１ｂに固定されている。
【００２２】
図２は図１のレールブラケット装置８を拡大して示す斜視図、図３は図２のレールブラケット装置８を示す平面図、図４は図２のレールブラケット装置８を示す正面図である。
【００２３】
各レールブラケット装置８は、壁側ブラケット１１、かご側ブラケット１２、おもり側ブラケット１３、複数のブラケット締結具１４、一対のかごガイドレール保持具１５、及び一対の釣合おもりガイドレール保持具１６を有している。
【００２４】
壁側ブラケット１１は、昇降路壁１ｂに固定されている。この例では、壁側ブラケット１１は、昇降路壁１ｂに固定された一対のアンカボルト１７にナット１８を締め込むことにより昇降路壁１ｂに固定されている。
【００２５】
かご側ブラケット１２は、壁側ブラケット１１の上に重ねられており、複数の溶接部１９を介して壁側ブラケット１１に固定されている。溶接部１９は、かご２の奥行き方向の第２のかごガイドレール４ｂの両端部に設けられている。
【００２６】
おもり側ブラケット１３は、かご側ブラケット１２の上に重ねられており、ブラケット締結具１４を介してかご側ブラケット１２及び壁側ブラケット１１に固定されている。また、おもり側ブラケット１３は、少なくとも１部の溶接部１９の真上に配置されている。
【００２７】
かごガイドレール保持具１５は、かご側ブラケット１２に第２のかごガイドレール４ｂを保持する。釣合おもりガイドレール保持具１６は、おもり側ブラケット１３に第１の釣合おもりガイドレール５ａを保持する。
【００２８】
各レール保持具１５，１６は、ブラケット１２又は１３との間にガイドレール４ｂ又は５ａを挟み込むレールクリップと、レールクリップをブラケット１２又は１３に締結するクリップ締結具とを有している。クリップ締結具としては、例えばボルト及びナットが用いられている。
【００２９】
各ブラケット締結具１４は、ボルト２１、ナット２２及び座金２３を有している。ボルト２１は、壁側ブラケット１１、かご側ブラケット１２及びおもり側ブラケット１３を貫通している。ナット２２は、おもり側ブラケット１３上でボルト２１に締め込まれている。座金２３は、壁側ブラケット１１の下面とボルト２１の頭部との間に介在している。
【００３０】
図５は図２の壁側ブラケット１１を示す斜視図である。壁側ブラケット１１は、断面Ｌ字形の金属部材であり、昇降路壁１ｂに固定される平板状の壁側ブラケット垂直部１１ａと、壁側ブラケット垂直部１１ａの上端部から水平に昇降路１内に突出する平板状の壁側ブラケット水平部１１ｂとを有している。
【００３１】
壁側ブラケット垂直部１１ａには、アンカボルト１７を通す第１及び第２のアンカボルト貫通孔１１ｃ，１１ｄが設けられている。第１のアンカボルト貫通孔１１ｃは、長軸が鉛直な長孔である。第２のアンカボルト貫通孔１１ｄは、長軸が水平な長孔である。
【００３２】
壁側ブラケット水平部１１ｂには、ブラケット締結具１４のボルト２１を通す第１及び第２の壁側ブラケット孔１１ｅ，１１ｆが設けられている。壁側ブラケット孔１１ｅ，１１ｆは、長軸がかご２の幅方向に平行な長孔である。また、壁側ブラケット孔１１ｅ，１１ｆの長軸は、真上から見て、第１及び第２のかごガイドレール４ａ，４ｂを結ぶ直線と平行である。
【００３３】
第１及び第２の壁側ブラケット孔１１ｅ，１１ｆの大きさには、昇降路壁１ｂから第２のかごガイドレール４ｂまでの距離変化及び壁側ブラケット１１の固定位置の誤差を吸収するための余裕が設けられている。
【００３４】
即ち、第１及び第２の壁側ブラケット孔１１ｅ，１１ｆの長軸及び短軸は、ボルト２１の径に対して十分に大きい。そして、長軸の余裕寸法により、昇降路壁１ｂから第２のかごガイドレール４ｂまでの距離変化を吸収する。また、短軸の余裕寸法により、壁側ブラケット１１をアンカボルト１７で固定する際の施工誤差を吸収する。
【００３５】
図６は図２のかご側ブラケット１２を示す斜視図である。かご側ブラケット１２は、断面Ｌ字形の金属部材であり、壁側ブラケット水平部１１ｂ上に重ねられる平板状のかご側ブラケット水平部１２ａと、かご側ブラケット水平部１２ａのかご２側の端部から直角に上方へ突出した平板状のかご側ブラケット垂直部１２ｂとを有している。
【００３６】
かご側ブラケット水平部１２ａには、ブラケット締結具１４のボルト２１を通す第１及び第２のかご側ブラケット孔１２ｃ，１２ｄが設けられている。第１及び第２のかご側ブラケット孔１２ｃ，１２ｄは、円形の孔、即ち丸孔であり、ボルト２１の外周面と第１及び第２のかご側ブラケット孔１２ｃ，１２ｄの内周面との間の隙間寸法は、ボルト２１と壁側ブラケット孔１１ｅ，１１ｆとの間の隙間寸法よりも十分に小さい。
【００３７】
かご側ブラケット垂直部１２ｂには、かごガイドレール保持具１５のボルトを通す第１及び第２のかごガイドレール保持孔１２ｅ，１２ｆが設けられている。
【００３８】
図７は図２のおもり側ブラケット１３を示す斜視図である。おもり側ブラケット１３は、金属部材であり、かご側ブラケット水平部１２ａ上に重ねられる平板上のおもり側ブラケット水平部１３ａと、おもり側ブラケット水平部１３ａの釣合おもり３側の端部から直角に上方へ突出した平板状のおもり側ブラケット垂直部１３ｂと、おもり側ブラケット水平部１３ａの昇降路壁１ｂ側の端部から直角に上方へ突出し昇降路壁１ｂに対向する平板状の昇降路壁対向部１３ｃとを有している。
【００３９】
おもり側ブラケット水平部１３ａには、ブラケット締結具１４のボルト２１を通す第１及び第２のおもり側ブラケット孔１３ｄ，１３ｅが設けられている。第１及び第２のおもり側ブラケット孔１３ｄ，１３ｅは、丸孔であり、ボルト２１の外周面と第１及び第２のおもり側ブラケット孔１３ｄ，１３ｅの内周面との間の隙間寸法は、ボルト２１と壁側ブラケット孔１１ｅ，１１ｆとの間の隙間寸法よりも十分に小さい。
【００４０】
第１及び第２のおもり側ブラケット孔１３ｄ，１３ｅの径は、第１及び第２のかご側ブラケット孔１２ｃ，１２ｄの径と同じである。また、第１及び第２のかご側ブラケット孔１２ｃ，１２ｄと第１及び第２のおもり側ブラケット孔１３ｄ，１３ｅとは、ＪＩＳのＢ１００１における１級穴である。
【００４１】
おもり側ブラケット垂直部１３ｂには、釣合おもりガイドレール保持具１６のボルトを通す第１及び第２の釣合おもりガイドレール保持孔１３ｆ，１３ｇが設けられている。
【００４２】
図８は図３のＶＩＩＩ−ＶＩＩＩ線に沿う断面図である。壁側ブラケット１１の下面に座金２３が当てられていることにより、ブラケット締結具１４の締め付け時の座面が確保されている。
【００４３】
次に、レールブラケット装置８の据付方法について説明する。まず、アンカボルト１７及びナット１８により、壁側ブラケット１１を昇降路壁１ｂに固定する。続いて、かごガイドレール保持具１５により、かご側ブラケット１２を第２のかごガイドレール４ｂに固定する。そして、かご側ブラケット１２を壁側ブラケット水平部１１ｂに溶接により固定する。図９及び図１０は、ここまでの据付途中の状態をそれぞれ示す平面図及び正面図である。
【００４４】
この後、釣合おもりガイドレール保持具１６により、おもり側ブラケット１３を第１の釣合おもりガイドレール５ａに固定する。そして、ブラケット締結具１４により、おもり側ブラケット１３を壁側ブラケット１１及びかご側ブラケット１２に固定する。
【００４５】
このようなレールブラケット装置８では、釣合おもり３に作用する水平地震力が第１の釣合おもりガイドレール５ａからおもり側ブラケット１３に伝えられる。おもり側ブラケット１３で受けた水平地震力は、ブラケット締結具１４、かご側ブラケット１２、溶接部１９及び壁側ブラケット１１を介して昇降路壁１ｂに伝達される。
【００４６】
かご側ブラケット１２とおもり側ブラケット１３との位置関係は決まっているので、ボルト２１を通す孔１２ｃ，１２ｄ，１３ｄ，１３ｅは丸孔でよい。孔１２ｃ，１２ｄ，１３ｄ，１３ｅが丸孔であるため、荷重が作用してもかご側ブラケット１２に対するおもり側ブラケット１３の位置がずれることはなく、多少ずれたとしてもエレベータの性能に影響を与えない程度の微小量である。
【００４７】
つまり、かご側ブラケット１２とおもり側ブラケット１３とは、ボルト２１の摩擦接合ではなく、ボルト２１の支圧接合により固定されている。なお、支圧接合は、ボルト軸部のせん断抵抗及び接合材の支圧力を働かせて応力を伝達する接合構造である。
【００４８】
また、第１及び第２の壁側ブラケット孔１１ｅ，１１ｆの大きさに、昇降路壁１ｂから第２のかごガイドレール４ｂまでの距離変化及び壁側ブラケット１１の固定位置の誤差を吸収するための余裕が設けられている。従って、寸法調整を可能にしつつ、かご側ブラケット１２及びおもり側ブラケット１３を壁側ブラケット１１に安定して固定することができる。
【００４９】
さらに、溶接部１９は、かご側ブラケット１２と壁側ブラケット１１との間の一部のみであるため、第２のかごガイドレール４ｂと昇降路壁１ｂとの間の隙間が狭い場合でも、無理なく溶接作業を行うことができる。
【００５０】
なお、壁側ブラケット１１の昇降路壁１ｂへの固定方法は上記の例に限定されず、例えば昇降路壁１ｂに溶接部を介して固定してもよい。
また、上記の例では、かご２の奥行き方向のかご側ブラケット１２の両端部のみに溶接部１９を設ける２面溶接としたが、かご側ブラケット１２の昇降路壁１ｂに対向する端部に溶接部１９を追加して３面溶接としてもよい。
さらに、上記の例では、ボルト２１を有するブラケット締結具１４を示したが、ブラケット締結具として、例えばノックピン又はリベットを用いてもよい。
【符号の説明】
【００５１】
１ｂ  昇降路壁、２  かご、３  釣合おもり、４ａ  第１のかごガイドレール、４ｂ  第２のかごガイドレール、５ａ  第１の釣合おもりガイドレール、５ｂ  第２の釣合おもりガイドレール、８  レールブラケット装置、１１  壁側ブラケット、１１ｅ  第１の壁側ブラケット孔、１１ｆ  第２の壁側ブラケット孔、１２  かご側ブラケット、１２ｃ  第１のかご側ブラケット孔、１２ｄ  第２のかご側ブラケット孔、１３  おもり側ブラケット、１３ｄ  第１のおもり側ブラケット孔、１３ｅ  第２のおもり側ブラケット孔、１４  ブラケット締結具、１５  かごガイドレール保持具、１６  釣合おもりガイドレール保持具、１９  溶接部、２１  ボルト、２２  ナット、２３  座金。
【図１】
2017206334.tif 000003
【図２】
2017206334.tif 000004
【図３】
2017206334.tif 000005
【図４】
2017206334.tif 000006
【図５】
2017206334.tif 000007
【図６】
2017206334.tif 000008
【図７】
2017206334.tif 000009
【図８】
2017206334.tif 000010
【図９】
2017206334.tif 000011
【図１０】
2017206334.tif 000012